(57)【要約】【課題】  正確に不審者を識別することができる不審者識別装置を提供すること。【解決手段】  少なくとも他人の顔を撮影するカメラ１１と、予め顔画像を記憶するメモリ２９と、これらカメラ１１及びメモリ２９の動作を制御する制御部２５とを備え、前記制御部２５は、撮影された他人の顔画像と前記メモリ２９内の顔画像とを比較して、一致する顔画像がない場合に撮影された他人が不審者であると判断する、不審者識別機能を有する。【選択図】      図２
2016110494.tif 000002
【特許請求の範囲】
【請求項１】
少なくとも他人の顔を撮影するカメラと、予め顔画像を記憶するメモリと、これらカメラ及びメモリの動作を制御する制御部とを備え、
前記制御部は、撮影された他人の顔画像と前記メモリ内の顔画像とを比較して、一致する顔画像がない場合に撮影された他人が不審者であると判断する、不審者識別機能を有する不審者識別装置。
【請求項２】
前記メモリ内には、すくなくとも家族、友達、先生、地域住民の何れかの顔画像が記憶されている、請求項１に記載の不審者識別装置。
【請求項３】
前記制御部に電力を供給するバッテリと、このバッテリに電力を供給するソーラーパネルと、前記制御部にＧＰＳ信号を送信するＧＰＳ受信機と、外部ネットワークと通信する通信部と、前記他人までの距離を測定する距離センサと、前記他人を照らすライトと、前記他人が不審者であると判断された場合に発報するブザーと、前記他人に対して網を発射する網発射部、の少なくとも１つを備えている、請求項１又は２に記載の不審者識別装置。
【請求項４】
前記通信部は、不審者に関する情報を家族、学校、警察の少なくとも１カ所に通報できる、請求項３に記載の不審者識別装置。
【請求項５】
上記請求項１から４の何れか一項に記載の不審者識別装置と、この不審者識別装置を収容する防犯用具本体とを備える、防犯用具。
【請求項６】
前記防犯用具本体はバッグ型の本体である、請求項５に記載の防犯用具。
【請求項７】
前記ソーラーパネルは、前記防犯用具本体の上面に取り付けられている、請求項５又は６に記載の防犯用具。
【発明の詳細な説明】
【技術分野】
【０００１】
本発明は、不審者識別装置に係り、特に、不審者を識別して適切な対応を取ることができる、不審者識別装置およびこれを備えた防犯用具に関するものである。
【背景技術】
【０００２】
世の中においては様々な防犯対策があるが、不審者対策はその中で最も重要なものの一つである。不審者は、子供達に危害を加えたり、空き巣に入ったりする可能性がある。このため、不審者かどうかを識別するのは大切である。
【発明の概要】
【発明が解決しようとする課題】
【０００３】
しかしながら、子供達にとっては不審者かどうかを見分ける（識別する）のは非常に困難である。特に、暗い夜道などでは相手の顔を見ることができず、不審者の識別がより一層むずかしくなる。
【０００４】
そこで、本願発明は、各個人の識別能力に依存せずに、不審者か否かを見分けることができ、適切な対応をとることができる不審者識別装置およびこれを備えた防犯用具を提供すること、をその目的とする。
【課題を解決するための手段】
【０００５】
本願発明は上記課題に鑑みてなされたものであって、第１手段は、少なくとも他人の顔を撮影するカメラと、予め顔画像を記憶するメモリと、これらカメラ及びメモリの動作を制御する制御部とを備え、制御部は、撮影された他人の顔画像とメモリ内の顔画像とを比較して、一致する顔画像がない場合に撮影された他人が不審者であると判断する、不審者識別機能を有する不審者識別装置、という構成を採っている。
【０００６】
第２手段は、第１手段の構成に加え、メモリ内には、すくなくとも家族、友達、先生、地域住民の何れかの顔画像が記憶されている、という構成を採っている。
【０００７】
第３手段は、第１手段又は第２手段の構成に加え、制御部に電力を供給するバッテリと、このバッテリに電力を供給するソーラーパネルと、制御部にＧＰＳ信号を送信するＧＰＳ受信機と、外部ネットワークと通信する通信部と、他人までの距離を測定する距離センサと、他人を照らすライトと、他人が不審者であると判断された場合に発報するブザーと、他人に対して網を発射する網発射部、の少なくとも１つを備えている、という構成を採っている。
【０００８】
第４手段は、第３手段の構成に加え、通信部は、不審者に関する情報を家族、学校、警察の少なくとも１カ所に通報できる、という構成を採っている。
【０００９】
第５手段は、第１手段から第４手段の何れかの不審者識別装置と、この不審者識別装置を収容する防犯用具本体とを備える防犯用具、という構成を採っている。
【００１０】
第６手段は、第５手段の構成に加え、防犯用具本体はバッグ型の本体である、という構成を採っている。
【００１１】
第７手段は、第５手段又は第６手段の構成に加え、ソーラーパネルは、防犯用具本体の上面に取り付けられている、という構成を採っている。
【発明の効果】
【００１２】
かかる本願発明によれば、例えば、不審者か否かを迅速に識別して、不審者と識別された場合に適切な対応を取ることができる。
【図面の簡単な説明】
【００１３】
【図１】図１は、本発明の一実施形態に係る不審者識別装置を備えた防犯用具の全体構成を示す斜視図である。
【図２】図２は、不審者識別装置の各構成要素を示すブロック図である。
【図３】図３は、不審者識別装置の動作を説明するフローチャートである。
【図４】図４は、不審者に向かって防犯用具から網が発射された状態を示す概略図である。
【発明を実施するための形態】
【００１４】
以下、本願発明の一実施形態に係る不審者識別装置と防犯用具について、図面を参照しながら説明する。
【００１５】
［全体概要］
図１は、本発明の一実施形態に係る不審者識別装置１Ａを備えた防犯用具１を示す斜視図である。図２は、不審者識別装置１Ａの構成要素を示すブロック図である。防犯用具１は、バッグ型に作られており、中に荷物を収納できるようになっている。このため、たとえば子供達が学校で使用する勉強道具などを中に入れて持ち運べるようになっている。バッグのように利用するために、防犯用具にはファスナ３とベルト５が取り付けられている。
【００１６】
［ソーラーパネル］
防犯用具１の上面には、ソーラーパネル７が取り付けられている。このソーラーパネル７は、太陽の光を電気に変換するものであり、後述するバッテリ９に電力を供給する。本実施形態では１枚のソーラーパネル７しか取り付けられていないが、防犯用具１の側面などに複数枚取り付けるようにしてもよい。但し、バッテリ９が充電式のものであるならば、ソーラーパネル７は必須ではない。
【００１７】
［カメラ］
防犯用具１の側面には、カメラ１１が取り付けられている。このカメラ１１は、近づいてきた他人の顔を撮影したり、家族や地域住民等の顔を撮影したりするためのものである。本実施形態ではカメラ１１は１つ取り付けられているが、複数のカメラを取り付けて、複数の方向を同時に撮影できるようにしてもよい。カメラ１１の具体的な使い方については後述する。
【００１８】
［ライト］
カメラ１１の隣には、ライト１３が取り付けられている。このライト１３は、暗い夜道を歩くときに点灯させる他、カメラ１１で他人の顔を撮影するときに、フラッシュの役割を果たす。このため、ライト１３は連続して点灯する他、一瞬光るように動作することも可能である。
【００１９】
［網発射部］
次に、網発射部１５について説明する。網発射部１５は、不審者が近づいてきた場合に、不審者に向けて網を発射するためのものである。網は防犯用具１内に収納されており、圧縮空気などを使って発射させることができるようになっている。
【００２０】
［ブザー］
また、防犯用具１にはブザー１７が取り付けられている。ブザー１７は、不審者が近づいて来た時に音を出し、不審者を驚かすと共に、近くにいる人たちに不審者がいることを知らせることができる。但し、スイッチ操作でブザー１７を鳴らすことも可能である。
【００２１】
［距離センサ］
距離センサ１９は、防犯用具１から他人までの距離を測定するためのセンサである。距離センサ１９を取り付けることで、他人が近づいてきたことが分かると同時に、不審者に対して網を発射する際に不審者までの距離に基づいて、正確に網を発射できるからである。
【００２２】
［アンテナ］
更に、防犯用具１にはアンテナ２１が取り付けられている。このアンテナ２１は通信部２３に接続されており、不審者を発見した場合に、そのことを警察や学校、そして家庭に無線で知らせるためのものである。通信のためには携帯電話網を用いたり、街中に設置されている無線ＬＡＮなどを用いてもよい。
【００２３】
［不審者識別装置］
次に、図２に基づいて不審者識別装置１Ａについて説明する。
【００２４】
［制御部］
制御部２５は、不審者識別装置１Ａの各構成要素を制御するためのものである。このため、制御部２５は不審者識別装置１Ａの各構成要素に直接あるいは間接的に接続されている。制御部２５は、例えばコンピュータなどで用いられる中央演算装置（ＣＰＵ）である。制御部２５の具体的な作用については後述する。
【００２５】
［バッテリ］
バッテリ９は、ソーラーパネル７に接続されると共に、制御部２５にも接続されている。このため、ソーラーパネル７で発電された電力を受け取り、それを制御部２５に供給することができる。そして、制御部２５に供給された電力は各構成要素にも供給されるようになっている。バッテリ９は、一例としてリチウムイオン電池である。このため、ソーラーパネル７からの充電だけではなく、家庭のコンセントからも直接充電できるようになっている。なお、バッテリ９に代えて普通の電池を用いるようにしてもよい。この場合、電池が切れたら再度新しい電池に交換する必要がある。
【００２６】
［ＧＰＳ受信機］
また、制御部２５にはＧＰＳ受信機２７も接続されている。このＧＰＳ受信機２７は、人工衛星からのＧＰＳ信号を受信して不審者識別装置１Ａの現在位置を特定するためのものである。
【００２７】
［メモリ］
また、制御部２５にはメモリ２９も接続されている。このメモリ２９は、様々な電子情報を記憶するためのものである。具体的には、予め撮影した人の顔画像や、過去に撮影した不審者の顔画像などの電子情報である。これらの情報の他、不審者識別装置１Ａを制御するためのプログラムも記憶されている。更には、ＧＰＳ信号によって特定された位置とそのときの時刻も記憶している。
【００２８】
［通信部］
通信部２３は、上記したように、一方がアンテナ２１に接続されており、他方が制御部２５に接続されている。通信部２３では、制御部２５が受け取った不審者の顔の画像情報やＧＰＳ信号を、アンテナ２１を通して警察などに送信できる。
【００２９】
［不審者識別装置及び防犯用具の使い方］
次に、図３に基づいて、不審者識別装置１Ａ及び防犯用具１の使い方について説明する。ここでは説明が分かりやすくなるように、防犯用具を持っている人を本人とし、それ以外の人を他人と表現する。以下に説明するそれぞれの構成要素の動作は、制御部２５によって行われる。
【００３０】
まず、防犯用具１は、距離センサ１９を使って他人が接近してきているかどうかを常に監視している（ステップＳ１）。それは、距離センサ１９からの信号が制御部２５に送られて、制御部２５によって判断される。そして、本人に対して他人が所定の距離の範囲内に接近した場合に、周囲が暗いかどうかを判断する（ステップＳ２）。この周囲が暗いかどうかは、カメラ１１を用いて検出してもよいし、明るさセンサを別途設けてもよい。周囲が暗くないと判断された場合は、昼間であると推測されるので、そのまま他人の顔を撮影する（ステップＳ４）。一方、周囲が暗いと判断された場合には、ライト１３を点灯する（ステップＳ３）。ライト１３を点灯しないと、暗い場所では他人の顔を適切に撮影することができないからである。
【００３１】
次に、撮影された他人の顔が、既に登録されている人か未登録の人かどうかが判断される（ステップＳ５）。この判断は、メモリ２９に登録されている人の顔画像との比較によって行われる。これを可能とするために、防犯用具１を使用する前に、予め不審者でない人達の顔画像をメモリ２９に登録しておく必要がある。登録する人は、家族、友だち、先生、地域の人達である。これらの人達の顔を登録しておくことで、間違えて不審者と判断することが防止される。以上が、制御部２５によって実現される不審者識別機能である。
【００３２】
不審者かどうかの判断において、不審者ではないと判断された場合には、そのままエンドとなる。一方、不審者であると判断された場合には（ステップＳ６）、通信部２３から不審者を発見したことが通報される（ステップＳ６１）。通報する先は予め登録しておくことが可能である。例えば、自宅、学校、警察などを通報先とすることができる。このとき、ＧＰＳ信号による位置情報も送られ、本人が現在どこにいるかも同時に通報することができる。このため、家族や先生、或いは警察官が迅速に本人の救出に駆けつけることが可能である。それと同時に、防犯用具１のブザー１７が発報する（ステップＳ６２）。これにより、不審者が驚いて逃げる場合もある。
【００３３】
上記の通報やブザー発報の他に、他人（不審者）に向けて網が発射される（ステップＳ７）。これは、不審者が網に絡まり、その隙に本人が逃げることが可能となるからである。網は網発射部１５に収納されているが、圧縮空気によって飛び出すように作られている。すなわち、制御部２５によって不審者と判断されると同時に、圧縮空気が開放されて網を外に発射させる。網は、できるだけ軽くて強い方が良いので、釣り糸などを編んで作ったものが望ましい。図４は、不審者に向けて網３１が発射された状態を示す概略図である。
【００３４】
以上説明したように、本実施形態によれば、不審者かどうかを適切に識別でき、防犯に役立つ不審者識別装置及び防犯用具を提供することができる。
【００３５】
なお、以上の説明では、それぞれの特徴部分について、相互に関連付けて説明した。このため、各特徴部分を組み合わせることで、特別な技術的効果を奏する発明が成立する。一方で、上記各特徴部分は、それ単独でも一つの発明として成立する。このため、本願が想定する発明は、必ずしも複数の特徴部分を組み合わせた発明に限定されるものではなく、各特徴部分単独あるいは各特徴部分の任意の組み合わせでも、本発明を構成することができるということである。
【符号の説明】
【００３６】
１  防犯用具
１Ａ  不審者識別装置
３  ファスナ
５  ベルト
７  ソーラーパネル
９  バッテリ
１１  カメラ
１３  ライト
１５  網発射部
１７  ブザー
１９  距離センサ
２１  アンテナ
２３  通信部
２５  制御部
２７  ＧＰＳ受信機
２９  メモリ
３１  網
【図１】
2016110494.tif 000003
【図２】
2016110494.tif 000004
【図３】
2016110494.tif 000005
【図４】
2016110494.tif 000006